(57)【要約】      （修正有）【課題】インターバル撮影時にブレを検知して補正処理を行うと、得られる各コマ画像毎にフレーミングがずれる問題を解決する。【解決手段】振れ検出手段により撮像装置の振れが検出された場合、撮像手段により撮像される被写体像の振れを打ち消すための振れ補正を行う振れ補正手段と、所定の時間間隔で所定の回数だけ被写体を撮像するインターバル撮影の設定を行うインターバル撮影設定手段と、前記インターバル撮影設定手段により前記インターバル撮影の設定が行われたか否かを判別する設定判別手段と、前記インターバル撮影設定手段により前記インターバル撮影の設定が行われる場合に、または、前記設定判別手段により前記インターバル撮影の設定が行われたと判別された場合に、前記振れ補正手段による前記振れ補正を行わないように制御する制御手段とを備えて、撮像装置を構成した。【選択図】図２
2011250235.tif 000002
【特許請求の範囲】
【請求項１】
被写体を撮像する撮像手段と、
撮像装置の振れを検出する振れ検出手段と、
前記振れ検出手段により前記撮像装置の振れが検出された場合、前記撮像手段により撮像される被写体像の振れを打ち消すための振れ補正を行う振れ補正手段と、
所定の時間間隔で所定の回数だけ被写体を撮像するインターバル撮影の設定を行うインターバル撮影設定手段と、
前記インターバル撮影設定手段により前記インターバル撮影の設定が行われたか否かを判別する設定判別手段と、
前記インターバル撮影設定手段により前記インターバル撮影の設定が行われる場合に、または、前記設定判別手段により前記インターバル撮影の設定が行われたと判別された場合に、前記振れ補正手段による前記振れ補正を行わないように制御する制御手段と
を備える撮像装置。
【請求項２】
請求項１に記載の撮像装置において、
前記制御手段は、前記インターバル撮影設定手段による前記インターバル撮影の設定が選択されたときに、または、前記インターバル撮影の設定が行われて前記インターバル撮影が開始されたときに、前記振れ補正手段による前記振れ補正を行わないように制御することを特徴とする撮像装置。
【請求項３】
請求項１に記載の撮像装置において、
前記制御手段は、前記インターバル撮影設定手段により前記インターバル撮影の設定が行われてから所定時間の経過後、前記振れ補正手段による前記振れ補正を行わないように制御することを特徴とする撮像装置。
【請求項４】
請求項１に記載の撮像装置において、
撮像装置が三脚に固定されているか否かを判別する固定判別手段を備え、
前記制御手段は、前記インターバル撮影設定手段により前記インターバル撮影の設定が行われた後、前記固定判別手段により撮像装置が三脚に固定されていると判別されたときに、前記振れ補正手段による前記振れ補正を行わないように制御することを特徴とする撮像装置。
【請求項５】
請求項１に記載の撮像装置において、
前記設定判別手段は、電源起動処理中に、前記インターバル撮影設定手段により前記インターバル撮影の設定が行われたか否かを判別することを特徴とする撮像装置。
【請求項６】
請求項１に記載の撮像装置において、
前記設定判別手段は、電源起動処理後における前記インターバル撮影が行われる前に、前記インターバル撮影設定手段により前記インターバル撮影の設定が行われたか否かを判別することを特徴とする撮像装置。
【請求項７】
請求項１に記載の撮像装置において、
前記設定判別手段は、前記インターバル撮影が行われる際に、前記インターバル撮影設定手段により前記インターバル撮影の設定が行われたか否かを判別することを特徴とする撮像装置。
【請求項８】
請求項１から請求項７のいずれか１項に記載の撮像装置において、
前記振れ補正手段は、前記振れ検出手段により前記撮像装置の振れが検出された場合、前記撮像手段により撮像される被写体像の振れを打ち消す方向に、前記撮像手段または光学系の少なくとも１つを駆動して前記振れ補正を行うことを特徴とする撮像装置。
【発明の詳細な説明】
【技術分野】
【０００１】
本発明は、撮像装置に関する。
【背景技術】
【０００２】
特許文献１に開示されたカメラのブレ補正装置は、手ブレなどによるブレを撮影情報に応じて正確に検出したり、ブレを補正することができる。
【先行技術文献】
【特許文献】
【０００３】
【特許文献１】特開平１１−２４９１８９号公報
【発明の概要】
【発明が解決しようとする課題】
【０００４】
しかしながら、上記従来のブレ補正装置では、一定のフレーミング（構図）中の変化を撮影することが多いインターバル撮影時にブレ補正が行われると、インターバル撮影により得られる各コマ画像毎にフレーミングがずれてしまう。
【課題を解決するための手段】
【０００５】
本発明は、
被写体を光学系を介して撮像する撮像手段と、
撮像装置の振れを検出する振れ検出手段と、
前記振れ検出手段により前記撮像装置の振れが検出された場合、前記撮像手段により撮像される被写体像の振れを打ち消すための振れ補正を行う振れ補正手段と、
所定の時間間隔で所定の回数だけ被写体を撮像するインターバル撮影の設定を行うインターバル撮影設定手段と、
前記インターバル撮影設定手段により前記インターバル撮影の設定が行われたか否かを判別する設定判別手段と、
前記インターバル撮影設定手段により前記インターバル撮影の設定が行われる場合に、または、前記設定判別手段により前記インターバル撮影の設定が行われたと判別された場合に、前記振れ補正手段による前記振れ補正を行わないように制御する制御手段と
を備えて、撮像装置を構成した。
【発明の効果】
【０００６】
本発明によれば、インターバル撮影により得られる各コマ画像毎にフレーミングがずれるのを防止することができる。
【図面の簡単な説明】
【０００７】
【図１】本発明の第１の実施形態によるデジタルカメラの構成の概略を示すブロック図である。
【図２】図１に示すデジタルカメラにおける、インターバル撮影を設定する処理の概略を示すフローチャートである。
【図３】本発明の第２の実施形態によるデジタルカメラにおける、電源起動処理の概略を示すフローチャートである。
【図４】本発明の第３の実施形態によるデジタルカメラにおける、電源起動後の定常動作処理の概略を示すフローチャートである。
【図５】本発明の第４の実施形態によるデジタルカメラにおける、レリーズボタンを押して撮影する処理の概略を示すフローチャートである。
【図６】本発明の第５の実施形態によるデジタルカメラにおける、デジタルカメラを三脚に固定する際の処理の概略を示すフローチャートである。
【発明を実施するための形態】
【０００８】
本発明による撮像装置をデジタルカメラに適用した場合における、本発明を実施するための一形態について説明する。
【０００９】
図１は、第１の実施形態によるデジタルカメラの構成の概略を示すブロック図である。
【００１０】
デジタルカメラは、ズームレンズ１，振れ補正レンズ２および焦点調節レンズ３からなる光学系４を備えている。光学系４を介して導かれた被写体光は、撮像素子５の撮像面５ａ上に被写体像を投影する。ズームレンズ１，振れ補正レンズ２，および焦点調節レンズ３は、ＣＰＵ（中央演算処理部）６の制御により、ズームレンズ駆動部７，振れ補正レンズ駆動部８，および焦点調節レンズ駆動部９がそれぞれ駆動されることで、矢示する方向に移動する。ズームレンズ１が光軸方向に移動すると、撮像素子５の撮像面５ａ上に投影される被写体像は拡大または縮小され、光学ズームの拡大倍率が調節される。また、焦点調節レンズ３が光軸方向に移動すると、撮像素子５の撮像面５ａ上に投影される被写体像のピントが調節される。また、振れ補正レンズ２がデジタルカメラの振れ方向と逆の方向に移動すると、撮像素子５の撮像面５ａ上に導かれる光の屈折方向が振れを打ち消す方向に変化し、撮像面５ａ上に投影される被写体像の振れが補正される。ズームレンズ１，振れ補正レンズ２，および焦点調節レンズ３の各レンズ位置は、それぞれ、ズームレンズ位置検出センサ１０，振れ補正レンズ位置検出センサ１１，および焦点調節レンズ位置検出センサ１２により検出され、検出された信号はＣＰＵ６に出力される。
【００１１】
撮像素子５は、ＣＣＤ（Charge Coupled Device）やＣＭＯＳ（Complementary Metal Oxide Semiconductor）などからなり、被写体を光学系４を介して撮像する撮像手段を構成する。撮像素子５は、操作部２２を構成するレリーズボタンに対する操作者のレリーズ操作に応じ、被写体像を設定されたシャッタースピードに応じた所定の露光時間撮像する。撮像された被写体像はアナログの撮像信号に変換され、変換された撮像信号は、Ａ／Ｄ変換部１３においてデジタル信号に変換される。画像処理部１４は、Ａ／Ｄ変換部１３でデジタル信号に変換された撮像信号をバス１５を介して取得し、取得した撮像信号に対して、ホワイトバランス処理やガンマ補正などの画像処理を行って画像データを生成する。生成された画像データは、圧縮処理が施され、バス１５を介して一旦バッファメモリ１６に格納された後、Ｉ／Ｆ部１７を介してメモリカードなどの筐体に着脱自在な記録媒体１８に記録される。
【００１２】
ＣＰＵ６には振れ検出センサ１９が接続されている。振れ検出センサ１９は、操作者による手振れ等によって発生する筐体のヨーイング方向およびピッチング方向の振れ量を角速度として検出するジャイロセンサなどからなり、撮像素子５を収納する筐体に生じる振れ量を検出する。つまり、振れ検出センサ１９は、デジタルカメラの振れを検出する振れ検出手段を構成する。振れ検出センサ１９から角速度信号がＣＰＵ６に出力されると、ＣＰＵ６は、角速度信号を時間で積分して角度に変換して、手振れ等によって筐体の振れた角度を振れ量として算出する。そして、算出した振れ量に基づいて、振れ補正レンズ２の目標位置を算出し、算出した目標位置を振れ補正レンズ駆動部８に出力する。振れ補正レンズ駆動部８は、この目標位置に振れ補正レンズ２を移動させて、撮像面５ａでの像振れの補正を行う。この振れ補正レンズ駆動部８による振れ補正レンズ２の移動は、振れ補正レンズ２の移動量と、振れ補正レンズ２の移動による撮像面５ａにおける被写体像の移動量との間の倍率が考慮されて、行われる。振れ補正レンズ駆動部８によって移動させられた振れ補正レンズ２の実際の位置は振れ補正レンズ位置検出センサ１１によって検出され、目標位置と実際の振れ補正レンズ２の位置との差分が“０”に近づくように、振れ補正レンズ２の現在位置をフィードバックさせながら、振れ補正が行われる。ＣＰＵ６および振れ補正レンズ駆動部８は、振れ検出センサ１９によりデジタルカメラの振れが検出された場合、撮像素子５によって撮像される被写体像の振れを打ち消す方向に、光学系４を駆動して振れ補正を行う振れ補正手段を構成している。
【００１３】
バス１５には、フラッシュメモリ２０および液晶モニタ２１が接続されている。フラッシュメモリ２０は、データの読み書きが電気的に可能なＥＥＰＲＯＭ（Electrically Erasable Programmable ＲＯＭ）などからなり、ＣＰＵ６が種々の処理を行う際の制御プログラムであるファームウェアや、操作部２２を構成する不図示の十字キーや決定ボタンなどの操作によって設定されるメニュー画面におけるメニュー項目の内容等が記憶される。液晶モニタ２１には、撮影に関する種々の情報や、構図を確認するための撮影画像、上記のメニュー画面などが表示される。
【００１４】
十字キーなどの操作により、メニュー画面からインターバル撮影を設定するメニュー項目を選択できる。このインターバル撮影を設定するメニュー項目を選択すると、インターバル撮影の設定を行うインターバル撮影設定画面に遷移し、インターバル撮影の各種パラメータ（開始タイミング、時間間隔、回数等）を設定できる。インターバル撮影の設定は、例えば、夜空の星の動き、花の開花等の撮影をする際、指定した時刻から所望の時間間隔で自動的にシャッターを作動させるときなどに、行われる。ＣＰＵ６、十字キー、および決定ボタンは、所定の時間間隔で所定の回数だけ被写体を撮像するインターバル撮影の設定を行うインターバル撮影設定手段を構成する。また、ＣＰＵ６は、インターバル撮影設定手段によりインターバル撮影の設定が行われる場合に、振れ補正手段による振れ補正を行わないように制御する制御手段を構成する。本実施形態では、制御手段は、インターバル撮影の設定が行われてインターバル撮影が開始されたときに、振れ補正手段による振れ補正を行わないように制御する。
【００１５】
図２は、本実施形態のデジタルカメラにおける、インターバル撮影を設定する処理の概略を示すフローチャートである。
【００１６】
撮影者は、メニュー画面を操作して、インターバル撮影の設定を行うインターバル撮影設定画面に遷移させ、このインターバル撮影設定画面で、インターバル撮影の開始タイミングや撮影時間間隔等の各種パラメータを設定する。ＣＰＵ６は、ステップ（以下、Ｓと記す）１において、撮影者の設定操作に応じて、インターバル撮影の各種パラメータの設定を行う。次に、ＣＰＵ６は、Ｓ２において、撮影者により決定ボタンが押されて、インターバル撮影の設定が行われたか否かを判別する。撮影者により決定ボタンが押されて、インターバル撮影の設定が行われ、インターバル撮影が開始されて、Ｓ２の判別が“ＹＥＳ”の場合、ＣＰＵ６は、Ｓ３において、防振補正系を構成する光学系４の振れ補正レンズ２を所定位置で機械的に固定して、振れ補正の機能を停止させる。なお、振れ補正レンズ駆動部８を制御して振れ補正の機能を電気的に行わないように制御するように構成してもよい。
【００１７】
一方、インターバル撮影の上述した設定画面で決定ボタンが押されず、インターバル撮影が開始されないで、Ｓ２の判別が“ＮＯ”の場合、ＣＰＵ６は、Ｓ４において、防振処理、つまり振れ補正手段による振れ補正を作動させる処理を行う。振れ補正手段による振れ補正は、振れ検出センサ１９によりデジタルカメラの振れが検出された場合、撮像素子５によって撮像される被写体像の振れを打ち消す方向に、光学系４の振れ補正レンズ２が駆動されて行われる。
【００１８】
このような本実施形態によるデジタルカメラによれば、図２、Ｓ２でインターバル撮影設定手段によりインターバル撮影の設定が行われる場合、ＣＰＵ６により、振れ補正手段によって行われる振れ補正がＳ３で停止される。このため、インターバル撮影時に振れ補正が停止されるので、所定の時間間隔でインターバル撮影される各コマ画像毎にフレーミングがずれるのを防止し、各コマ画像で同じフレーミングのインターバル撮影を行える。
【００１９】
本実施形態によるデジタルカメラによれば、インターバル撮影の設定が行われたときの、インターバル撮影する際における早い段階で、ＣＰＵ６により、振れ補正手段による振れ補正が停止される。このため、振れ補正が行われることにより生じる電力の消費を抑え、消費電力を低減させることができる。
【００２０】
なお、本実施形態では、光学系４を駆動して振れ補正を行う構成であったが、撮像素子５または光学系４の少なくとも１つを駆動して振れ補正を行う構成でもよい。
【００２１】
本実施形態では、インターバル撮影がＳ２で開始されたときに、Ｓ３で振れ補正手段による振れ補正を行わないように制御する構成であったが、インターバル撮影設定手段によるインターバル撮影の設定が選択されたとき、例えば、インターバル撮影を設定するメニュー項目が選択された際や、インターバル撮影設定画面に遷移した際に、振れ補正手段による振れ補正を行わないように制御する構成であってもよい。
【００２２】
また、制御手段を構成するＣＰＵ６が、インターバル撮影設定手段によりインターバル撮影の設定が図２、Ｓ２で行われてから所定時間の経過後、振れ補正手段による振れ補正を行わないように制御する構成にしてもよい。この構成によれば、インターバル撮影設定手段によりインターバル撮影の設定が行われてから所定時間の経過後、インターバル撮影が開始される設定した指定時刻前の所望の時間に、ＣＰＵ６により、振れ補正手段による振れ補正を停止できるので、利便性が向上する。
【００２３】
図３は、本発明の第２の実施形態によるデジタルカメラにおける、電源起動処理の概略を示すフローチャートである。
【００２４】
上述した第１の実施形態では、インターバル撮影設定手段によりインターバル撮影の設定が行われる場合、ＣＰＵ６により、振れ補正手段によって行われる振れ補正が行われないように制御する構成であったが、本実施形態では、ＣＰＵ６が、インターバル撮影設定手段によりインターバル撮影の設定が行われたか否かを判別する設定判別手段を構成し、設定判別手段によりインターバル撮影の設定が行われたと判別された場合に、振れ補正手段によって行われる振れ補正を行わないように制御する。本実施形態では、設定判別手段を構成するＣＰＵ６は、電源起動処理中に、インターバル撮影設定手段によりインターバル撮影の設定が行われたか否かを判別する。本実施形態でも、デジタルカメラのハードウェア構成は図１に示される。
【００２５】
撮影者によって電源スイッチが押下されると、ＣＰＵ６は、Ｓ１１において、電源起動時の初期化処理を行い、デジタルカメラに実装されている各種デバイスの初期化を行う。次に、ＣＰＵ６は、Ｓ１２において、電源遮断時に記憶した各種設定情報を復帰させる処理を行う。次に、ＣＰＵ６は、Ｓ１３において、復帰させた各種設定情報から、インターバル撮影の設定が行われているか否かを判別する。
【００２６】
インターバル撮影の設定が行われており、Ｓ１３の判別が“ＹＥＳ”の場合、ＣＰＵ６は、Ｓ１４において、防振補正系を構成する光学系４の振れ補正レンズ２を所定位置に固定して、振れ補正を停止させる。一方、インターバル撮影の設定が行われておらず、Ｓ１３の判別が“ＮＯ”の場合、ＣＰＵ６は、Ｓ１５において、振れ補正手段による振れ補正の作動を準備する防振準備処理を行う。防振処理はその後行われる。
【００２７】
このような本実施形態によるデジタルカメラによれば、電源起動処理中の、図３、Ｓ１３で、インターバル撮影設定手段によりインターバル撮影の設定が行われたか否かが設定判別手段によって判別され、インターバル撮影の設定が行われたと判別された場合に、ＣＰＵ６により、振れ補正手段による振れ補正がＳ１４で停止される。このため、インターバル撮影時に振れ補正が停止されるので、所定の時間間隔でインターバル撮影される各コマ画像毎にフレーミングがずれるのを防止し、各コマ画像で同じフレーミングのインターバル撮影を行える。各インターバル撮影の合間に省電力化のために遮断された電源が再起動する際に生じるノイズなどにより、不必要な振れ補正が行われる誤動作が防止される。
【００２８】
図４は、本発明の第３の実施形態によるデジタルカメラにおける、電源起動後の定常動作処理の概略を示すフローチャートである。
【００２９】
上述した第２の実施形態では、設定判別手段を構成するＣＰＵ６が、電源起動処理中に、インターバル撮影設定手段によりインターバル撮影の設定が行われたか否かを判別する構成であったが、本実施形態では、電源起動処理後におけるインターバル撮影が行われる前の定常動作時に、インターバル撮影設定手段によりインターバル撮影の設定が行われたか否かを判別する。本実施形態でも、デジタルカメラのハードウェア構成は図１に示される。
【００３０】
電源起動処理後、ＣＰＵ６は、Ｓ２１において、防振補正系を構成する光学系４の振れ補正レンズ２が固定されているか否かを判別する。既に振れ補正レンズ２が固定されて振れ補正が停止されており、Ｓ２１の判別が“ＹＥＳ”の場合、ＣＰＵ６は、Ｓ２２において、インターバル撮影の設定が解除されたか否かを判別する。例えば、一連のインターバル撮影を終えた後に電源が遮断されて再び起動した場合など、インターバル撮影の設定が既に解除されおり、Ｓ２２の判別が“ＹＥＳ”の場合、ＣＰＵ６は、Ｓ２３において、防振処理を行う。つまり、振れ補正を開始し、インターバル撮影以外の通常の撮影等が行われる。一方、一連のインターバル撮影の途中に電源が遮断されて再び起動した場合など、インターバル撮影の設定が解除されおらず、Ｓ２２の判別が“ＮＯ”の場合、振れ補正レンズ２が固定されたままの状態で処理が終了される。
【００３１】
振れ補正レンズ２が固定されておらず、Ｓ２１の判別が“ＮＯ”の場合、ＣＰＵ６は、Ｓ２４において、インターバル撮影の設定が行われたか否かを判別する。例えば、インターバル撮影以外の通常の撮影時など、インターバル撮影の設定が行われておらず、Ｓ２４の判別が“ＮＯ”の場合、ＣＰＵ６は、上述したＳ２３の防振処理を行う。つまり、振れ補正が作動されて、インターバル撮影以外の通常の撮影などが行われる。一方、インターバル撮影の設定が行われており、Ｓ２４の判別が“ＹＥＳ”の場合、ＣＰＵ６は、防振補正系を構成する光学系４の振れ補正レンズ２を固定し、その後のインターバル撮影に備える。
【００３２】
このような本実施形態によるデジタルカメラによれば、電源起動処理後におけるインターバル撮影が行われる前に、インターバル撮影設定手段によりインターバル撮影の設定が行われたか否かが設定判別手段によって図４、Ｓ２４で判別され、インターバル撮影の設定が行われたと判別された場合に、ＣＰＵ６により、振れ補正手段による振れ補正がＳ２５で停止される。このため、インターバル撮影時に振れ補正が停止されるので、所定の時間間隔でインターバル撮影される各コマ画像毎にフレーミングがずれるのを防止し、各コマ画像で同じフレーミングのインターバル撮影を行える。電源起動処理後に自動的に振れ補正が停止されて利便性が向上する。
【００３３】
図５は、本発明の第４の実施形態によるデジタルカメラにおける、レリーズボタンを押して撮影する処理の概略を示すフローチャートである。
【００３４】
上述した第２、第３の実施形態では、設定判別手段を構成するＣＰＵ６が、電源起動処理中や電源起動処理後の定常動作時に、インターバル撮影設定手段によりインターバル撮影の設定が行われたか否かを判別する構成であったが、本実施形態では、インターバル撮影が行われる際に、インターバル撮影設定手段によりインターバル撮影の設定が行われたか否かを判別する。本実施形態でも、デジタルカメラのハードウェア構成は図１に示される。
【００３５】
ＣＰＵ６は、Ｓ３１において、レリーズボタンが押されたか否かを判別する。レリーズボタンが押されず、Ｓ３１の判別が“ＮＯ”の場合、ＣＰＵ６は、処理を終了する。一方、レリーズボタンが押され、Ｓ３１の判別が“ＹＥＳ”の場合、ＣＰＵ６は、Ｓ３２において、防振補正系を構成する光学系４の振れ補正レンズ２が固定されているか否かを判別する。
【００３６】
既に振れ補正レンズ２が固定されて振れ補正が停止され、Ｓ３２の判別が“ＹＥＳ”の場合、ＣＰＵ６は、Ｓ３３において、インターバル撮影の設定が解除されたか否かを判別する。一連のインターバル撮影が終了してインターバル撮影の設定が解除されおり、Ｓ３３の判別が“ＹＥＳ”の場合、ＣＰＵ６は、Ｓ３４において、防振処理を作動させる。その後、ＣＰＵ６は、Ｓ３７において、撮像素子５に得られる被写体像を記録媒体１８に記録する撮影処理を行う。一方、一連のインターバル撮影の途中でインターバル撮影の設定が解除されておらず、Ｓ３３の判別が“ＮＯ”の場合、ＣＰＵ６は、Ｓ３４の防振処理を行うことなく、Ｓ３７において、撮影処理を行う。
【００３７】
振れ補正レンズ２が固定されておらず、Ｓ３２の判別が“ＮＯ”の場合、ＣＰＵ６は、Ｓ３５において、インターバル撮影の設定が行われたか否かを判別する。インターバル撮影の設定が行われておらず、Ｓ３５の判別が“ＮＯ”の場合、ＣＰＵ６は、Ｓ３４において、防振処理を行い、Ｓ３７において、撮影処理を行う。一方、インターバル撮影の設定が行われており、Ｓ３５の判別が“ＹＥＳ”の場合、ＣＰＵ６は、Ｓ３６において、防振補正系を構成する光学系４の振れ補正レンズ２を固定し、Ｓ３７において、撮影処理を行う。
【００３８】
このような本実施形態によるデジタルカメラによれば、インターバル撮影が行われる際に、インターバル撮影設定手段によりインターバル撮影の設定が行われたか否かが、図５、Ｓ３５で設定判別手段によって判別され、インターバル撮影の設定が行われたと判別された場合に、ＣＰＵ６により、振れ補正手段による振れ補正がＳ３６で停止される。このため、インターバル撮影時に振れ補正が停止されるので、所定の時間間隔でインターバル撮影される各コマ画像毎にフレーミングがずれるのを防止し、各コマ画像で同じフレーミングのインターバル撮影を行える。インターバル撮影が行われる際に自動的に振れ補正が停止されて利便性が向上する。
【００３９】
図６は、本発明の第５の実施形態によるデジタルカメラにおける、デジタルカメラを三脚に固定する際の処理の概略を示すフローチャートである。
【００４０】
本実施形態では、デジタルカメラが三脚に固定されているか否かを判別する固定判別手段を備え、制御手段を構成するＣＰＵ６は、インターバル撮影設定手段によりインターバル撮影の設定が行われた後、固定判別手段によりデジタルカメラが三脚に固定されていると判別されたときに、振れ補正手段による振れ補正を行わないように制御する。本実施形態でも、デジタルカメラのハードウェア構成は図１に示される。
【００４１】
ＣＰＵ６は、Ｓ４１において、防振補正系を構成する光学系４の振れ補正レンズ２が固定されているか否かを判別する。振れ補正レンズ２が固定されており、Ｓ４１の判別が“ＹＥＳ”の場合、ＣＰＵ６は、Ｓ４２において、インターバル撮影の設定が解除されたか否かを判別する。一連のインターバル撮影が終了して、インターバル撮影の設定が解除されており、Ｓ４２の判別が“ＹＥＳ”の場合、ＣＰＵ６は、Ｓ４３において、防振処理を行い、振れ補正を開始する。一方、一連のインターバル撮影の途中でインターバル撮影の設定が解除されておらず、Ｓ４２の判別が“ＮＯ”の場合、振れ補正レンズ２が固定されたままの状態で処理が終了される。
【００４２】
振れ補正レンズ２が固定されておらず、Ｓ４１の判別が“ＮＯ”の場合、ＣＰＵ６は、Ｓ４４において、インターバル撮影の設定が行われたか否かを判別する。インターバル撮影以外の通常の撮影時など、インターバル撮影の設定が行われておらず、Ｓ４４の判別が“ＮＯ”の場合、ＣＰＵ６は、Ｓ４３において、防振処理を行う。一方、インターバル撮影の設定が行われており、Ｓ４４の判別が“ＹＥＳ”の場合、ＣＰＵ６は、Ｓ４５において、デジタルカメラが三脚に固定されているか否かを判別する。
【００４３】
デジタルカメラが三脚に固定されておらず、Ｓ４５の判別が“ＮＯ”の場合、ＣＰＵ６は、上述したＳ４３の防振処理を行う。一方、デジタルカメラが三脚に固定されており、Ｓ４５の判別が“ＹＥＳ”の場合、ＣＰＵ６は、Ｓ４６において、防振補正系を構成する光学系４の振れ補正レンズ２を固定し、振れ補正を停止して、インターバル撮影に備える。
【００４４】
このような本実施形態によるデジタルカメラによれば、インターバル撮影設定手段によりインターバル撮影の設定を行った後、デジタルカメラを三脚に固定するだけで、ＣＰＵ６により、振れ補正手段による振れ補正が図６、Ｓ４６で停止される。このため、インターバル撮影時に振れ補正が停止されるので、所定の時間間隔でインターバル撮影される各コマ画像毎にフレーミングがずれるのを防止し、各コマ画像で同じフレーミングのインターバル撮影を行える。振れ補正を停止する操作が省けて利便性が向上する。
【００４５】
上述した各実施形態では、本発明による撮像装置をデジタルカメラに適用した場合について説明したが、ビデオカメラや、携帯電話機等に内蔵されるカメラ等の、インターバル撮影を行うその他の撮像装置にも適用することが可能である。このような撮像装置に本発明を適用した場合においても、上記各実施形態と同様な作用効果が奏される。
【符号の説明】
【００４６】
１…ズームレンズ
２…振れ補正レンズ
３…焦点調節レンズ
４…光学系
５…撮像素子
６…ＣＰＵ
８…振れ補正レンズ駆動部
１９…振れ検出センサ
【図１】
2011250235.tif 000003
【図２】
2011250235.tif 000004
【図３】
2011250235.tif 000005
【図４】
2011250235.tif 000006
【図５】
2011250235.tif 000007
【図６】
2011250235.tif 000008